(57)【要約】【課題】この発明の課題は、従来の自在継手に改良を加えることにより自由に姿勢維持のできる自在継手を開発・提供することにある。【解決手段】ネジ部側（Ａ）とチューブ側（Ｂ）とを有する，エルボ型チューブ継手（１，１′）を２個用い、これらチューブ継手（１，１′）のチューブ側（Ｂ）のチューブ金具（Ｃ，Ｃ）を取り外し、取り外したチューブ金具（Ｃ，Ｃ）側が相対向するように設け、これらのチューブ金具（Ｃ，Ｃ）を取り外した部分に、それぞれスイベル金具（３）で連結することを特徴とする自在継手から構成される。【選択図】  図１
2016044696.tif 000002
【特許請求の範囲】
【請求項１】
ネジ部側とチューブ側とを有する，エルボ型チューブ継手を２個用い、
これらチューブ継手のそれぞれチューブ側のチューブ金具を取り外し、
取り外したチューブ金具側が相対するように設け、
これらのチューブ金具を取り外した部分に、それぞれスイベル金具で連結する
ことを特徴とする自在継手。
【請求項２】
前記の両自在継手のネジ部側には、それぞれオネジとメネジを、またはオネジどうし、あるいはメネジどうしを設けた
ことを特徴とする請求項１記載の自在継手。
【発明の詳細な説明】
【技術分野】
【０００１】
この発明は、自在継手に関するものである。
【背景技術】
【０００２】
従来、自在継手とは、圧力のある流体や大気圧以下の流体を輸送するに当たり、その配管を回転させたり、上下・左右・前後の任意の方向に移動させる必要がある時に使用するものである。
【０００３】
また、各種のチューブ継手が市販されている。これらのチューブ継手は、ストレート形、エルボ形、チーズ形のものが市販されており、そのうち、ストレート形は、１ケ所が管用ネジで他方はチューブの外径にワンタッチで接続できる（ワンタッチフィッティング）よう構成されている。
【０００４】
また、エルボ形（Ｌ形ワンタッチ継手）は、１ケ所が管用ネジで他方はチューブの外径にワンタッチで接続できるものと、両側ともワンタッチで接続するものがある。
【０００５】
さらに、チーズ形（Ｔ形ワンタッチ継手）は、Ｔ字のタテ軸下部１ケ所が管用ネジで他の２方はチューブの外径にワンタッチで接続することができるものと、３方ともワンタッチで接続できるものがある。
【０００６】
そしてこれらのチューブ継手（ストレート、エルボ、チーズ）は、ネジ接合によって固定されることを前提に製作されており、ネジ部を持たない両側チューブのエルボや３方チューブのチーズには、固定用の孔が設けられている。
【０００７】
ネジ付きのエルボ形やチーズ形は、ネジ部に設けられた６角のスパナ掛かりによって締めこまれるため、ネジ部と継手本体とは適度な抵抗で回転させることができるよう構成されている。尚、スイベル接合されたネジ部はオネジでもメネジでもよい。
【０００８】
しかしながら、上記のチューブ継手以外の形状をした自在継手は、製造されていない。
【発明の概要】
【発明が解決しようとする課題】
【０００９】
そこで、この発明の課題は、上記事項に鑑みてなされたものであり、従来のチューブ継手に改良を加えることにより、新たな形状の自在継手を設けることであり、自由に姿勢維持のできるコの字形、あるいはＺ字形の自在継手を開発・提供することにある。
【課題を解決するための手段】
【００１０】
この発明の自在継手は、
ネジ部側とチューブ側とを有する，エルボ型チューブ継手を２個用い、
これらチューブ継手のそれぞれチューブ側のチューブ金具を取り外し、
取り外したチューブ金具側が相対するように設け、
これらのチューブ金具を取り外した部分に、それぞれスイベル金具で連結する
ことを特徴とする。
【００１１】
また、前記の両自在継手のネジ部側には、それぞれオネジとメネジを、またはオネジどうし、あるいはメネジどうしを設けた
ことを特徴とする。
【発明の効果】
【００１２】
この発明によると、一のエルボ型チューブ継手のチューブ側と他のエルボ型チューブ継手のチューブ側を一体のスイベル金具で連結することにより一体化したコの字形となることにより、あるいは、それを変形させてＺの字形とすることにより、片側のネジを配管に連結することによって、反対側のネジ部を自由な方向に向けて固定することができるという効果を奏する。
【００１３】
また、この発明によると、壁面、柱、塀、ラティス等の垂直面、あるいは水平面の上部例えば、梁、屋上、水平面の下面、たとえば軒下、さらには屋根等の傾斜面に、自由に設置することにより、ミスト噴霧用ノズルを直接、あるいは継手を介して取り付けるとミストの噴霧角度を自由に設定することができ、効率的である等の効果を有する。
【００１４】
さらに、この発明のコの字形あるいはＺ字形の自在継手を製造するにあたり、主要部品は市販品を用いるため安価で、しかも汎用性も高い等の効果も奏する。
【図面の簡単な説明】
【００１５】
【図１】この発明の一実施例を示す正面図である。
【図２】この発明の一実施例を示す断面図である。
【図３】この発明の使用状態の一例を示す斜視図である。
【図４】この発明の使用状態の他の例を示す斜視図である。
【図５】従来のエルボ型チューブ継手の断面図である。
【発明を実施するための形態】
【００１６】
以下、この発明について詳細に説明する。尚、この発明においては、以下の記述に限定されるものではなく、この発明の要旨を逸脱しない範囲においては適宜変更可能である。
【実施例】
【００１７】
先ず、この発明の一実施例を図面に基づいて詳述すると、ネジ部側（Ａ）とチューブ側（Ｂ）とを有する，エルボ形のチューブ継手（１，１′）を２個用い、これらチューブ継手（１，１′）のそれぞれチューブ（２，２′）側を向かい合わせて設け、これらチューブ側（Ｂ）にスイベル金具（３）を接合して一体化し、コ字状、あるいはＺ字状にしたことを特徴とする自在継手から構成される。
【００１８】
そして、前記の両チューブ継手（１，１′）のネジ部側（Ａ）には、オネジ（４）、あるいはメネジ（５）を設けるものであり、使用によって選択するものである。
【００１９】
また、チューブ継手（１，１′）は樹脂製であり、一例としてはポリブチレンテレフタレートであり、スイベル金具（３）は、金属製であり、内部を流れる液体の性質によりステンレス製であったり、Ｏリング（６）の素材の一例としては、フッ素ゴムである。
【００２０】
さらに、エルボ型のチューブ継手（１，１′）のネジ部側（Ａ）には、配管用のブロック（７）を設けてもよい。
【００２１】
これにより、片側のネジを配管によって固定することによって、反対側のネジ部を自由な方向に向けて固定することができる。
【００２２】
この発明は、要するに、図５に示すように、従来のエルボ形のチューブ継手（１，１′）の本体とスイベルねじ部を便宜的に利用したものであり、２重旋回の一方はエルボ形のチューブ継手のスイベルねじ部で、同継手のチューブ接続金具（Ｃ）を取り外して代わりにスイベル金具（３）を取り付けたものである。
【産業上の利用可能性】
【００２３】
この発明の自在継手の技術を確立し、実施することにより、産業上利用できるものである。
【符号の説明】
【００２４】
１，１′チューブ継手
２，２′チューブ
３  スイベル金具
４  オネジ
５  メネジ
６  Ｏリング
７  配管用のブロック
Ａ  ネジ部側
Ｂ  チューブ側
Ｃ  チューブ金具
【図１】
2016044696.tif 000003
【図２】
2016044696.tif 000004
【図３】
2016044696.tif 000005
【図４】
2016044696.tif 000006
【図５】
2016044696.tif 000007